(57)【要約】【課題】絵柄面積率情報や印刷機制御情報を簡便に効率よく受け渡しするための印刷物（たとえばプリプレスプルーフ）と、その印刷物システムを提供する。【解決手段】印刷面においてインキが付着する面積率に関係する情報である絵柄面積率情報および／または印刷機の制御における目標値に関係する情報である印刷機制御情報を有するようにした印刷物。印刷絵柄データおよび印刷機械データを記憶する記憶部と、印刷絵柄データおよび印刷機械データに基づいて絵柄面積率情報および／または印刷機制御情報を計算する計算部と、絵柄面積率情報および／または印刷機制御情報と印刷絵柄データとの合成を行い合成印刷絵柄データを生成する合成部と、合成印刷絵柄データに基づいて印刷物を出力するようにしたプリンタを具備するようにした印刷システム。【選択図】　図１
2004142119.tif 000002
【特許請求の範囲】
【請求項１】
印刷面においてインキが付着する面積率に関係する情報である絵柄面積率情報および／または印刷機の設定制御に関係する情報である印刷機制御情報が記載されていることを特徴とする印刷物。
【請求項２】
請求項１記載の印刷物において、前記絵柄面積率情報および／または前記印刷機制御情報は、オフセット印刷機におけるインキキーで分割された領域の各々に対応する情報であることを特徴とする印刷物。
【請求項３】
請求項１または２記載の印刷物において、前記絵柄面積率情報および／または前記印刷機制御情報は、多色印刷機における色版の各々についての情報であることを特徴とする印刷物。
【請求項４】
請求項１〜３のいずれかに記載の印刷物において、前記絵柄面積率情報および／または前記印刷機制御情報は、その印刷物においてその情報に対応する領域の内部に記載された情報であることを特徴とする印刷物。
【請求項５】
請求項１〜４のいずれかに記載の印刷物において、前記印刷物は、印刷見本となるデジタルハードコピー方式のプリプレスプルーフであることを特徴とする印刷物。
【請求項６】
記憶部と、計算部と、合成部と、プリンタとを具備する印刷システムであって、
前記記憶部は、印刷絵柄データおよび印刷機械データを記憶し、
前記計算部は、前記印刷絵柄データおよび前記印刷機械データに基づいて絵柄面積率情報および／または印刷機制御情報を計算し、
前記合成部は、前記絵柄面積率情報および／または前記印刷機制御情報と前記印刷絵柄データとの合成を行い合成印刷絵柄データを生成し、
前記プリンタは、前記合成印刷絵柄データに基づいて印刷物を出力する、
ことを特徴とする印刷システム。
【請求項７】
請求項６記載の印刷システムにおいて、前記印刷物は印刷見本となるプリプレスプルーフであることを特徴とする印刷システム。
【発明の詳細な説明】
【０００１】
【発明の属する技術分野】
本発明は、印刷物および印刷機の技術分野に属する。特に、絵柄面積率情報や印刷機制御情報が記載されている印刷見本となるプリプレスプルーフ等に用いる印刷物とその印刷システムに関する。
【０００２】
【従来技術】
オフセット印刷機等の印刷機は、印刷方向（ウェブの移送方向；天地方向）に対して直角方向（幅方向；左右方向）におけるインキ供給量の分布を調節するためのインキキーを有する（図９参照）。インキ供給量の分布を調節することにより、印刷における絵柄面積の大きい部分にはインキ供給量を多く、小さい部分には少なくすることができ、適正な印刷を行なうことができる。
【０００３】
従来は、印刷版を光学的に走査してその反射率から絵柄面積率の分布、すなわち各インキキーに対応する絵柄面積率が計測される。また、近年は、印刷版の絵柄に対応する刷版データ、たとえばダイレクト刷版における刷版データから各インキキーに対応する絵柄面積率が導出される。そして、その絵柄面積率に基づいて印刷機におけるインキキーの開度がプリセットされる。印刷開始後には、オペレータが印刷品質を確認しながら、プリセットされたインキキーの追い込み調整をする。これにより適正な印刷物を短時間に得ることができる。
【０００４】
【発明が解決しようとする課題】
インキ供給量の分布を調節するためには、プリセット情報の送り側（たとえば絵柄面積率計測装置）と受け側（たとえばオフセット印刷機）で情報フォーマットを決める必要性がある。その上で、印刷する絵柄の選択、インキ供給量の計算、媒体への書込み、媒体の輸送、印刷機側への媒体からの読込、印刷機のプリセット、というステップがとられる（図８参照）。また、ネットワークによって接続された印刷機であれば、媒体の入出力に係わるステップを省略できる（図７参照）。しかし、いずれにせよプリセット情報の送り側と受け側でそれぞれ決められた情報フォーマットをやり取りする仕組みが必要である。
【０００５】
多くの種類の印刷機が存在するときには、それに応じた種類の仕組みが必要となり設備コストが膨大となる。また、フレキシブルディスクや磁気カードを媒体として情報を受け渡す方法では、媒体が生産現場で散逸したり管理に神経を使う必要性がある。また、ネットワークで情報の受け渡しが行えるのは最新の印刷機に限られ、新旧の印刷機が混在する環境下では各々で別の情報管理を必用とし煩雑である。
【０００６】
本発明は上記の問題を解決するためになされたものである。その目的は、絵柄面積率情報や印刷機制御情報を簡便に効率よく受け渡しするための印刷物（たとえばプリプレスプルーフ）と、その印刷物システムを提供することにある。
【０００７】
【課題を解決するための手段】
上記課題は下記の本発明によって解決される。すなわち、
本発明の請求項１に係る印刷物は、印刷面においてインキが付着する面積率に関係する情報である絵柄面積率情報および／または印刷機の設定制御に関係する情報である印刷機制御情報が記載されているようにしたものである。その印刷物と同一の印刷物を印刷するときにはその印刷物を見本とするが、本発明によれば、その印刷物には絵柄面積率情報および／または印刷機制御情報が記載されている。したがって、絵柄面積率情報や印刷機制御情報を簡便に効率よく受け渡しするための印刷物が提供される。
【０００８】
また本発明の請求項２に係る印刷物は、請求項１に係る印刷物において、前記絵柄面積率情報および／または前記印刷機制御情報は、オフセット印刷機におけるインキキーで分割された領域の各々に対応する情報であるようにしたものである。本発明によれば、絵柄面積率情報および／または印刷機制御情報に基づいて印刷機におけるインキキープリセットを行うことができる。
【０００９】
また本発明の請求項３に係る印刷物は、請求項１または２に係る印刷物において、前記絵柄面積率情報および／または前記印刷機制御情報は、多色印刷機における色版の各々についての情報であるようにしたものである。本発明によれば、絵柄面積率情報および／または印刷機制御情報に基づいて多色印刷機における各色印刷ユニットのインキキープリセットを行うことができる。
【００１０】
また本発明の請求項４に係る印刷物は、請求項１〜３のいずれかに係る印刷物において、前記絵柄面積率情報および／または前記印刷機制御情報は、その印刷物においてその情報に対応する領域の内部に記載された情報であるようにしたものである。本発明によれば、絵柄面積率情報および／または印刷機制御情報と印刷物における領域との関係が明確である。
【００１１】
また本発明の請求項５に係る印刷物は、請求項１〜４のいずれかに係る印刷物において、前記印刷物は、印刷見本となるデジタルハードコピー方式のプリプレスプルーフであるようにしたものである。本発明によれば、プリプレスプルーフの作成時に絵柄面積率情報および／または印刷機制御情報を付加することができる。
【００１２】
また本発明の請求項６に係る印刷システムは、記憶部と、計算部と、合成部と、プリンタとを具備する印刷システムであって、前記記憶部は印刷絵柄データおよび印刷機械データを記憶し、前記計算部は前記印刷絵柄データおよび前記印刷機械データに基づいて絵柄面積率情報および／または印刷機制御情報を計算し、前記合成部は前記絵柄面積率情報および／または前記印刷機制御情報と前記印刷絵柄データとの合成を行い合成印刷絵柄データを生成し、前記プリンタは前記合成印刷絵柄データに基づいて印刷物を出力するようにしたものである。本発明によれば、絵柄面積率情報や印刷機制御情報を簡便に効率よく受け渡しするための印刷物を生成するシステムが提供される。
【００１３】
また本発明の請求項７に係る印刷システムは、請求項６に係る印刷システムにおいて、前記印刷物は印刷見本となるプリプレスプルーフであるようにしたものである。本発明によれば、プリプレスプルーフに絵柄面積率情報および／または印刷機制御情報が付加される。
【００１４】
【発明の実施の形態】
次に、本発明について実施の形態を説明する。最初に本発明の印刷システムについて図１を参照して説明する。図１は本発明の印刷システムにおける構成を示す図である。図１において、１はデータ処理装置、２はデータストレージ、３はプリンタ、４はキーボード、５はマウス、６はディスプレイ、１００はプリプレスプルーフ、１０１ａ，１０１ｂ，・・・は付加した情報、１０２は領域の境界である。
【００１５】
データ処理装置１は、パーソナルコンピュータ、ワークステーション等の本体部分でありハードウェアとソフトウェアとから成り、入力部１１、記憶部１２、計算部１３、合成部１４、出力部１５を有する。入力部１１は、データストレージ２、キーボード４、マウス５、等からデータ入力を行う部分である。記憶部１２は、データ処理の対象となるデータ、中間データ、処理済データ、等を記憶する部分である。たとえば、入力した印刷絵柄データや印刷機械データを記憶する。
【００１６】
計算部１３は、記憶部１２に記憶されている対象データに対する計算を行い計算済データを生成する。たとえば、印刷絵柄データや印刷機械データに基づいて絵柄面積率情報や印刷機制御情報を計算する。合成部１４は、画像データに対して処理済データを合成する画像処理を行う部分である。たとえば、絵柄面積率情報や印刷機制御情報と印刷絵柄データとの合成を行い合成印刷絵柄データを生成する。出力部１５は、プリンタ３、ディスプレイ６、等に対してデータ出力を行う部分である。
【００１７】
データストレージ２は、データ処理装置１の処理対象となるデータが格納されているデータストレージである。また、データ処理装置１が生成したデータを格納するデータストレージとしてもよい。データストレージ２は、たとえば、製版工程、刷版工程、印刷工程、等において使用されるネットワークに接続されたデータストレージそのものであってもよい。その場合には、データ処理装置１はネットワークを通じて処理対象となるデータを入力する。データストレージ２は、製版工程で生成された製版データ、ダイレクト刷版工程でＲＩＰによって生成されたラスターイメージデータ、印刷機に関するデータ（インキキーの個数、幅寸法、等）、等が格納される。
【００１８】
プリンタ３は、プリプレスプルーフを印刷するプリンタである。プリプレスプルーフは、校正機や印刷機を用いないデジタルハードコピー方式の校正刷のことでありプリプルーフとも言う。したがって、プリンタ３は、オフセット印刷機等の本機で印刷したときと同一（または同等）の印刷品質（色再現性、等）が得られるように管理されている（周知技術であるから詳細は省略する）。
【００１９】
以上の構成において、次に、本発明の印刷システムにおける動作について幾つかの例を挙げて説明する。
まず、図１および図２に一例を示すような、絵柄面積率情報が付加された印刷物プリプレスプルーフ１００を作製するときの動作について説明する。オペレータは、まず、データ処理装置１において本発明の印刷システムを立ち上げ、ディスプレイ６に入力ウィンドウを開く。その入力ウィンドウでオペレータは、キーボード４マウス５等を使用して、処理対象の画像データすなわち印刷絵柄データを選択する。入力部１１はその処理対象の印刷絵柄データをデータストレージ２から入力し、記憶部１２はそのデータを記憶する。出力部１５はディスプレイ６に対象画像ウィンドウを開き、その処理対象の画像を表示する。
【００２０】
なお、印刷絵柄データはダイレクト刷版等のためのページレイアウトされた印刷版の全面に相当する印刷版データを主として意味する。しかし、ここではそれだけではなく、印刷絵柄データには製版工程で扱われる１ページまたは見開きページの単位のデータ、その他の本発明における合成の対象となる画像データのすべてを含むものとする。すなわち、ここで言う印刷絵柄データとは、オフセット印刷機等において印刷することを目的とする元データのことである。
【００２１】
次に、オペレータはキーボード４、マウス５等を使用し対象画像ウィンドウにおいて領域の境界を設定する。そして、印刷システムに対し絵柄面積率情報を数値％で付加するように指示入力を行う。計算部１３は各領域における絵柄面積率情報を計算する。合成部１４は計算された各領域における絵柄面積率情報の数値％とその処理対象の印刷絵柄データを合成し合成印刷絵柄データを生成する。出力部１５はディスプレイ６に合成画像ウィンドウを開き、その合成印刷絵柄データの画像を表示する。必要ならばオペレータは修正、やり直し等を行う。
【００２２】
次に、オペレータが印刷システムに対し、合成印刷絵柄データをプリント出力するように指示入力を行う。出力部１５は、プリンタ出力用に変換し印刷再現が得られるようにした合成印刷絵柄データをプリンタ３に出力する。プリンタ３は、その合成印刷絵柄データをプリント出力する。以上により、図１、図２に一例を示すようなプリプレスプルーフ１００が得られる。
【００２３】
プリプレスプルーフ１００は、図１、図２に示すように、印刷絵柄データにおける絵柄とともに、絵柄面積率情報が付加されている。付加した情報１０１ａは「１０％」、付加した情報１０１ｂは「５％」、付加した情報１０１ｃは「２５％」、付加した情報１０１ｄは「３５％」である。また、領域の境界１０２が破線でプリントアウトされており、付加した情報１０１ａ〜１０１ｄは各々の領域の内部に存在する。
【００２４】
次に、図３に一例示すような、印刷機制御情報が付加されたプリプレスプルーフ１１０を作製する動作について説明する。ディスプレイ６の対象画像ウィンドウに処理対象の画像を表示する迄は、前述の場合と同様であるから説明を省略する。オペレータは、入力ウィンドウでキーボード４マウス５等を使用して、処理対象の印刷絵柄データに対応する印刷機、すなわちその印刷絵柄データにより作製された印刷版を用いて印刷する印刷機の印刷機械データを選択する。入力部１１はその印刷機械データをデータストレージ２から入力し、記憶部１２はそのデータを記憶する。出力部１５はディスプレイ６に印刷機ウィンドウを開き、その印刷機械データの内容を表示する。
【００２５】
次に、オペレータはその印刷機ウィンドウにおいて、印刷機械データの内容の内から付加する項目を選択する（たとえばチェックを入れる）。そして印刷システムに対し印刷機制御情報を項目名と数値で付加するように指示入力を行う。計算部１３は選択された項目の印刷機制御情報を計算する。合成部１４は項目名と計算された数値の組、およびその処理対象の印刷絵柄データとを合成し合成印刷絵柄データを生成する。その後の合成印刷絵柄データの画像表示とプリント出力する過程は前述の場合と同様であるから説明を省略する。以上により、図３に一例を示すようなプリプレスプルーフ１１０が得られる。
【００２６】
プリプレスプルーフ１１０は、図３に示すように、印刷絵柄データにおける絵柄とともに、インキキー、給水量、印刷スピードの印刷機制御情報が付加されている。付加した情報１１１は「インキキー２，３，４，３，・・・、給水量２，３，５，３，・・・、印刷スピード８００ｒｐｍ」である。
【００２７】
次に、図４に一例示すような、印刷機制御情報が付加されたプリプレスプルーフ１２０を作製する動作について説明する。ディスプレイ６の対象画像ウィンドウに処理対象の印刷絵柄データを画像表示し、印刷機ウィンドウに印刷機械データの内容を表示する迄は、前述の場合と同様であるから説明を省略する。
【００２８】
次に、オペレータは、その印刷機ウィンドウにおいて、印刷機械データの内容の内から付加する項目を選択する（たとえばチェックを入れる）。ここでは、インキキーの開度を選択する。そして、印刷システムに対し、印刷機制御情報をインキキー幅の領域ごとにインキキーの開度の数値で付加するように指示入力を行う。計算部１３はインキキー幅の領域ごとにインキキーの開度の数値を計算する。合成部１４はインキキー幅の領域の境界を示す画像と、その領域ごとに計算されたインキキー開度の数値、およびその処理対象の印刷絵柄データとを合成し合成印刷絵柄データを生成する。その後の合成印刷絵柄データの画像表示とプリント出力する過程は前述の場合と同様であるから説明を省略する。以上により、図４に一例を示すようなプリプレスプルーフ１２０が得られる。
【００２９】
プリプレスプルーフ１２０は、図４に示すように、印刷絵柄データにおける絵柄とともに、インキキー幅の領域の境界１２２が破線で示され、印刷機制御情報としてインキキー開度１２１が付加されている。インキキー開度１２１は左から右の各領域について「１３」、「２３」、「１０」、「４０」、「１８」である。なお、インキ壷において配列するインキキー（図９参照）の数は、通常の印刷機においては２０〜３０ほどであるが、図４においては、分かりやすいように簡略化し、５つの領域だけを示してある。
【００３０】
次に、図５に一例示すような、印刷機制御情報が付加されたプリプレスプルーフ１２０を作製する動作について説明する。ディスプレイ６の対象画像ウィンドウに処理対象の印刷絵柄データを画像表示し、印刷機ウィンドウに印刷機械データの内容を表示する迄は、前述の場合と同様であるから説明を省略する。
【００３１】
次に、オペレータは、その印刷機ウィンドウにおいて、印刷機械データの内容の内から付加する項目を選択する（たとえばチェックを入れる）。ここでは、インキキーの開度を選択する。そして、印刷システムに対し、印刷機制御情報をインキキー幅の領域ごとにインキキーの開度を棒グラフで付加するように指示入力を行う。計算部１３はインキキー幅の領域ごとにインキキーの開度の数値を計算する。
【００３２】
合成部１４はインキキーの開度の数値から棒グラフの画像を生成する。また合成部１４はインキキー幅の領域の境界を示す画像と、その領域ごとに計算されたインキキー開度を示す棒グラフ、およびその処理対象の印刷絵柄データとを合成し合成印刷絵柄データを生成する。その後の合成印刷絵柄データの画像表示とプリント出力する過程は前述の場合と同様であるから説明を省略する。以上により、図５に一例を示すようなプリプレスプルーフ１３０が得られる。
【００３３】
プリプレスプルーフ１３０は、図５に示すように、印刷絵柄データにおける絵柄とともに、インキキー幅の領域の境界１３２が破線で示され、印刷機制御情報としてインキキー開度の棒グラフ１３１付加されている。
【００３４】
次に、図６に一例示すような、印刷機制御情報が付加された印刷物（プリプレスプルーフ１２０）を作製する動作について説明する。ディスプレイ６の対象画像ウィンドウに処理対象の印刷絵柄データを画像表示し、印刷機ウィンドウに印刷機械データの内容を表示する迄は、前述の場合と同様であるから説明を省略する。
【００３５】
次に、オペレータは、その印刷機ウィンドウにおいて、印刷機械データの内容の内から付加する項目を選択する（たとえばチェックを入れる）。ここでは、Ｃ（Ｃｙａｎ）印刷ユニットにおけるインキキーの開度、Ｍ（Ｍａｇｅｎｔａ）印刷ユニットにおけるインキキーの開度、Ｙ（Ｙｅｌｌｏｗ）印刷ユニットにおけるインキキーの開度、Ｋ（Ｂｌａｃｋ）印刷ユニットにおけるインキキーの開度から成る４色の印刷ユニットにおけるインキキーの開度を選択する。そして、印刷システムに対し、印刷機制御情報をインキキー幅の領域ごとに４色のインキキーの開度を棒グラフで付加するように指示入力を行う。計算部１３はインキキー幅の領域ごとに４色のインキキーの開度の数値を計算する。
【００３６】
合成部１４は４色のインキキーの開度の数値から４色の棒グラフの画像を生成する。また合成部１４は、各色共通であるインキキー幅の領域の境界を示す画像と、その領域ごとに計算された４色のインキキー開度を示す４色の棒グラフ、およびその処理対象の印刷絵柄データとを合成し合成印刷絵柄データを生成する。その後の合成印刷絵柄データの画像表示とプリント出力する過程は前述の場合と同様であるから説明を省略する。以上により、図６に一例を示すようなプリプレスプルーフ１４０が得られる。
【００３７】
プリプレスプルーフ１４０は、図６に示すように、印刷絵柄データにおける絵柄とともに、インキキー幅の領域の境界１４２が破線で示され、印刷機制御情報として４色のインキキー開度の４色の棒グラフ１４１付加されている。
【００３８】
なお、図１〜図６に一例を示したようなプリプレスプルーフは、片面印刷物であっても両面印刷物であってもよい。
【００３９】
【発明の効果】
以上のとおりであるから、本発明の請求項１に係る印刷物によれば、絵柄面積率情報や印刷機制御情報を簡便に効率よく受け渡しするための印刷物が提供される。
また本発明の請求項２に係る印刷物によれば、絵柄面積率情報および／または印刷機制御情報に基づいて印刷機におけるインキキープリセットを行うことができる。
また本発明の請求項３に係る印刷物によれば、絵柄面積率情報および／または印刷機制御情報に基づいて多色印刷機における各色印刷ユニットのインキキープリセットを行うことができる。
また本発明の請求項４に係る印刷物によれば、絵柄面積率情報および／または印刷機制御情報と印刷物における領域との関係が明確である。
また本発明の請求項５に係る印刷物によれば、プリプレスプルーフの作成時に絵柄面積率情報および／または印刷機制御情報を付加することができる。
また本発明の請求項６に係る印刷システムによれば、絵柄面積率情報や印刷機制御情報を簡便に効率よく受け渡しするための印刷システムが提供される。
また本発明の請求項７に係る印刷システムによれば、プリプレスプルーフに絵柄面積率情報および／または印刷機制御情報が付加される。
【図面の簡単な説明】
【図１】本発明の印刷システムの構成の一例示す図である。
【図２】本発明の印刷物の一例（絵柄面積率情報を付加）を示す図である。
【図３】本発明の印刷物の一例（印刷機制御情報を付加）を示す図である。
【図４】本発明の印刷物の一例（インキキー開度の数値％を付加）を示す図である。
【図５】本発明の印刷物の一例（インキキー開度の棒グラフを付加）を示す図である。
【図６】本発明の印刷物の一例（４色のインキキー開度の棒グラフを付加）を示す図である。
【図７】ネットワークによるプリセット情報の送り側と受け側における仕組みを示す図である。
【図８】媒体によるプリセット情報の送り側と受け側における仕組みを示す図である。
【図９】印刷機におけるインキ供給装置の構成を示す図である。
【符号の説明】
１　データ処理装置
２　データストレージ
３　プリンタ
４　キーボード
５　マウス
６　ディスプレイ
１１　入力部
１２　記憶部
１３　計算部
１４　合成部
１５　出力部
１００，１１０，１２０，１３０，１４０　プリプレスプルーフ
１０１ａ，１０１ｂ，・・・　付加した情報
１０２，１２２，１３２，１４２　領域の境界
１１１　印刷機制御情報
１２１，１３１，１４１　インキキー開度
【図１】
2004142119.tif 000003
【図２】
2004142119.tif 000004
【図３】
2004142119.tif 000005
【図４】
2004142119.tif 000006
【図５】
2004142119.tif 000007
【図６】
2004142119.tif 000008
【図７】
2004142119.tif 000009
【図８】
2004142119.tif 000010
【図９】
2004142119.tif 000011